(57)【特許請求の範囲】
【請求項１】
甲当て部、微調整構造、連結桿、踵当て部より構成され、該連結桿が該微調整構造によって該甲当て部又は踵当て部と連結される靴保存型の構造において、
甲当て部又は踵当て部にはラック状の歯形を縁部に沿って形成した歯道を前後方向に沿って形成してなり、
該微調整構造は、調整部と固定部とからなり、
該調整部は、該連結桿の軸に対して傾動可能に連結する嵌合孔を設けると共に、
両側面に該歯道に摺動可能に嵌合する溝体を形成すると共に該溝体の側面から延長して弾力部を介して該歯道の歯に嵌合する一対の歯を外向きに形成し、
溝体に沿って該固定部の弾力部を介して設けた一対の内向きの歯に嵌合する連結溝を設けてなり、
該固定部は、該調整部の溝体に沿って形成した連結溝に嵌合する上記一対の内向きの歯を弾力部先端に形成し、
該一対の内向きの歯が連結溝に嵌合した状態で上面に上記調整部の一対の外向きの歯の間に位置する位置決め凸部を設けてなり、
固定部の該一対の内向き歯が調整部の上記連結溝に嵌合した状態で、上記調整部の一対の外向き歯がその間に介在する上記位置決め凸部によって外向きに拡大して、上記歯道の歯に嵌合することによりその位置に固定されることにより、
該踵当て部及び甲当て部を靴のサイズに合わせて任意に長さを調整できるようにしてなることを特徴とする簡易微調整機能を有する靴保存型の構造。
【請求項２】
該踵当て部と連結桿とを一体構造とし、該連結桿の先端に設けられた調整部と固定部とが、該甲当て部に設けられた歯道との間で任意に長さを調整できるようにしてなることを特徴とする請求項１記載の簡易微調整機能を有する靴保存型の構造。
【請求項３】
該甲当て部と連結桿とを一体構造とし、該連結桿の先端に設けられた調整部と固定部とが、該踵当て部に設けられた歯道との間で任意に長さを調整できるようにしてなることを特徴とする請求項１記載の簡易微調整機能を有する靴保存型の構造。
【請求項４】
靴の踵の形状に合わせて構成される該踵当て部は二つの蓋体を組み合わせてなり、該両蓋体間においてばね室を形成してその前後壁に連結桿を挿通する摺動孔を設けると共にその先にストッパーを設けて、ばね室内で連結桿にばねの弾発力を作用させることにより、靴内部に適度の圧力を及ぼして靴を定型することを特徴とする請求項１記載の簡易微調整機能を有する靴保存型の構造。
【請求項５】
該微調整構造の調整部底部に設けられた嵌合孔座は幅が該歯道より広く、また両側壁には嵌合孔が設置されており、該連結桿に設けられた軸が該調整部の嵌合孔内に枢設されることを特徴とする請求項１記載の簡易微調整機能を有する靴保存型の構造。
【請求項６】
該甲当て部は靴頭部の形状に合わせた形状に設計されており、上部には下向に凹設された調整空間を有し、該調整空間底部には更に歯道が開設されていることを特徴とする請求項１記載の簡易微調整機能を有する靴保存型の構造。
【請求項７】
ばねによって靴内部より外側に向かって圧迫する適度な力が提供されるべく、ばねが該踵当て部に設けられたばね室中に設けられており、また該連結桿のもう一端には調整部と固定部とより構成される微調整構造が設けられ、該微調整構造によって歯道の設けられた該踵当て部と連結しており、歯道との間で任意に長さを調整できるようにしてなることを特徴とする請求項１記載の簡易微調整機能を有する靴保存型の構造。
【請求項８】
該調整部の該歯道に摺動可能に嵌合する溝体には略V字型を呈した連結溝が設けられ、その前後には平直段及び内側に収束する形状の削斜段が形成されてなり、
該固定部の連結凸部が該連結溝中に嵌入した時、該固定部の位置決め凸部が調整部の一対の外向きの歯の間に位置して一対の歯の間隔を拡大することにより該歯道の歯に嵌合させて該微調整構造を該歯道に対して位置決めさせ、
また、該固定部を調整部に向けて押したとき、該固定部の連結凸部が溝体の該削斜段に進むことによって該位置決め凸部が外向きの歯の間の広い間隔位置に進入して該外向きの歯を該歯道の歯との嵌合から開放する
ことを特徴とする請求項１記載の簡易微調整機能を有する靴保存型の構造。
【発明の詳細な説明】
【０００１】
【発明の属する技術分野】
本発明は簡易微調整機能を有する靴保存型の構造に係り、特に微調整が行えることで、各サイズの靴に適応して定型するものに関わる。
【０００２】
【従来の技術】
公知構造の内、最も基本的な靴保存型の構造においては、主に弾性を具有する金属片等の一端に楕円形の木型である本体、並びにもう一端には化学繊維などにより弾性を具えた支え部等より構成されている。これらの構造により、靴保存型を靴中に装入すると、その弾性によって靴内部にて靴を定型し、靴の外観が美しくなるようにするものである。
【０００３】
また改良型の靴保存型としては図１に示すように、主に甲当て部１と、該甲当て部１より延伸している連結桿２、並びに踵当て部３より構成されて、各種サイズの靴に対応できるものもある。
該連結桿２の至端を該踵当て部３中に穿入させると、該連結桿２及び該踵当て部３の相対する位置には導溝４及び導溝５が設けられているため、該連結桿２が該踵当て部３中で摺動するようになっており、また該踵当て部３内には連結桿２を圧迫するばね６が設けられているため、弾性によって靴内部より靴を定型するのと同時に各サイズの靴に応じて調節ができるようになっている。
【０００４】
【発明が解決しようとする課題】
しかし上述の両者とも以下のような欠点がある。
先ず上述の最も基本的な靴保存型には、各種サイズの靴に応じて調節することができず、つまり製造者は各サイズの靴に合わせた保存型を製造しなければならなく実用性に欠けており、大量生産が実現しない理由にもなっている。
では上述の改良型で各種サイズの靴に対応できるタイプの靴保存型においては、比較的大きなサイズの靴に対して使用する際、靴内より弾力により圧迫する力が足らず、また逆に比較的小さい靴に対して使用した際は、圧迫する力が大き過ぎて靴を定型するどころか、靴を過度に引き伸ばしてしまうことになる。
【０００５】
また最良位置Aに位置させることができないことも公知構造における大きな欠点である。その理由とは、各種靴の踵は、履き心地を考慮して人間の踵の形状に合わせて設計されており、例えば図１に示すように内側へ突出するクッション７が比較的靴の上部に近いことにより、靴を履いたり脱いだりする際には靴紐やマジックテープ(登録商標)などを解いたり外したりすることで脚を靴に入れたり、或いは出したりすることができるのであり、該クッション７の役割とは人の踵と靴が密着する構造を提供して靴が脱げないようにすることにあるが、このように重要なクッション７に該踵当て部３が頻繁に当たることにより、構造と外観が損なわれてしまうことも問題である。
では図２に示すように、もう一つの公知構造の靴保存型を例に挙げると、主な構造として甲当て部１，連結桿２を有し、該連結桿２の至端には軸２'が設けられており、踵当て部３底部には掛け孔３'が設けられている。使用の際は適当な該掛け孔３'に軸２'を嵌合するが、先ず該甲当て部１を靴の先端に装入し、更に下方に向けて該踵当て部３を回転させて押すことで、該踵当て部３が踵部に至るようにする。こうすることで、各種サイズの靴に対応することのできる靴保存型が提供されるが、しかしこの類の構造のものにも以下二つの欠点がある。
【０００６】
先ず隣り合う掛け孔３'同士の距離は短過ぎると抗力を失うが、距離が長過ぎると逆に細かな調整ができなくなって各種サイズの靴に合わせることができなくなってしまうこと、並びに軸２'，掛け孔３'の「掛ける、外す」の動作が不便であることが挙げられる。
もう一つの欠点としては、最良位置Aより靴の先端までの距離が該クッション７より靴の先端までの距離より大幅に長くなっていることにより、該踵当て部３は使用の頻度によって繰り返し、該クッション７を通って靴内に進入することになり、やはり該クッション７の外観と構造を損ない易くなっている。
では該踵当て部３がスムーズに或いは無理にでも靴内に入った場合でも、該踵当て部３は該最良位置A点にまでは至らず、効果的に靴を定型する機能を提供していることにはならない。
そこでこれらの欠点に鑑み、微調節により各種サイズの靴に適応し、靴の踵部を破損することなく効果的に靴を定型する本発明の簡易微調整機能を有する靴保存型の構造を提供する。
【０００７】
【課題を解決するための手段】
微調整部及び固定部から成る微調整構造を設け、該調整部の歯より甲当て部に設けられた歯道にポイント式で位置決めできるようにし、使用者が異なる靴のサイズに合わせて指によって容易に該調整部を歯道に合わせて調整が行えるようにする。
また微調整構造及び歯道の設計は、特に該歯道の各隣り合う歯と歯の距離が相当小さいことにより、各サイズの靴に合わせられるようにする。また該ばねの適度な弾力強度も合わせて小さな距離の調整を補い、且つ該ばねの可動範囲を制限することで靴の定型に適度な圧力が提供できるようにする。
更に該踵当て部より突起した縁を設けることにより、靴の踵部上方に設けられているクッションを傷つけず、外観と機能を保護するようにする。
【０００８】
【発明実施の形態】
図３に示すように、本発明は主に甲当て部１０，微調整構造２０，連結桿３０，踵当て部４０より構成されており、図４にも示すように、使用の際は該微調整構造２０によって長さを調整した後、該甲当て部１０から先に靴内に装入し、次に該踵当て部４０を直接靴底に進入させる。
その際ばね５０が収縮して該連結桿３０の尾端３４１が止め座４５と接触し、該踵当て部４０が該クッション７と摩擦するのを避けてスムーズに靴内に進入できるようにしており、また図５に示すように、該踵当て部４０内のばね５０が元の状態に回復すると、該踵当て部４０後方位置にて突出している縁４６を有することより、該縁４６で最良位置Aに接触して内側より圧迫するようになり、よって靴定型に優れた効果を提供する目的を達成するようになる。
【０００９】
図３，６，７，８に示すように、該甲当て部１０は靴頭部の形状に合わせて形状が設計されている。上方には下向に陥没したような調整空間１１を有し、該調整空間１１の底部には歯道１２が設けられており、該歯道１２の開口段１２１は該甲当て部１０を貫通して該歯道１２との間に該微調整構造２０が設置されるようになっている。
該甲当て部１０は該上座１３及び底蓋１４より構成される。該上座１３の底部及び内側面は空洞状態で、該上座１３の底部及び内側面で該底蓋１４を被覆している。その内、該上座１３は適当な位置にフック１３１，嵌合柱１３２を有し、該底蓋１４は該フック１３１，嵌合柱１３２に相対した位置にてフック掛け孔１４１，嵌合孔１４２を有し、該上座１３と底蓋１４とが嵌合され易い構造を提供しており、更に相対するねじ孔付き柱１３３，ねじ孔１４３の構造によってもねじで該底蓋１４を該上座１３に螺設固定するのに便利なようになっている。更に該底蓋１４は該連結桿３０を挿入する穿溝１４４を有し、該連結桿３０がスムーズに該甲当て部１０と連結されるようになっている。
【００１０】
図８，９，１０，１１に示すように、該微調整構造２０は調整部２１，固定部２２より構成される。該調整部２１底部には嵌合孔座２１０を有し、該嵌合孔座２１０の幅は該歯道１２よりやや大きく、また該嵌合孔座２１０の両側には嵌合孔２１１が設けられている。
また該調整部２１上部には凸部２１２を有し、該凸部２１２の幅は該歯道１２よりやや大きく設計されている。該嵌合孔座２１０と該凸部２１２中間には該歯道１２よりやや小さい溝体２１３が設けられ、該溝体２１３が図８に示すように、該開口段１２１より該歯道１２中に挿入されるようになっており、且つ該歯道１２で摺動範囲を制限している。
該開口段１２１の幅と該歯道１２の歯先幅の長さが略相同を呈しているため、該調整部２１の溝体２１３を該歯道１２中に嵌入し易くなっており、該調整部２１が該開口段１２１より外れないようになっている。
また該調整部２１は嵌合孔座２１０，凸部２１２がそれぞれ該溝体２１３上下両端より突出して工の字型を呈しているため、該調整部２１両側は即ち凹型を呈し、また該歯道１２の幅よりやや狭く、よって該調整部２１の溝体２１３は該歯道１２を軌道として移動することができ、且つ該嵌合孔座２１０，凸部２１２の上下制限により、該調整部２１が該歯道１２上下より外れないようになっている。
該調整部２１は該歯道１２に対応した個所に略V字型を呈した連結溝２１４が凹設されており、該連結溝２１４の外側には平直段２１５を有し、もう一端には徐々に収縮するような削斜段２１６を有する。該調整部２１至端面は該平直段２１５及び該歯道１２に相対した位置に、外側に延伸してコの字型を呈した弾力部２１７を有し、該弾力部２１７の両外端はやや内側に向かって収縮した状態を呈しており、至端には更に歯２１８が設けられ、該弾力部２１７開口個所には幅がやや狭い位置制限空間２１９が設けられている。
【００１１】
更に図８，９，１０，１１に示すように、該固定部２２は該調整部２１の底部に設置され、一端は外側に延伸して略コの字型を呈した弾力部２２１を有し、該弾力部２２１の至端部には内側に向かって相対した連結凸部２２２が設けられており、両該連結凸部２２２は該平直段２１５を経て該連結桿２調整部２１を外側に開き、該連結凸部２２２を該連結溝２１４と相対させたとき、該連結凸部２２２は該連結溝２１４中に嵌合され、図８中のB及び図１２に示すように、該固定部２２に設けられた位置決め凸部２２３はちょうど位置制限空間２１９内に位置し、靴を定型するべく該弾力部２１７及び歯２１８が該歯道１２に固定される。
図８中C及び図１３に示すように、該固定部２２が該調整部２１と隣接するとき、該固定部２２の連結凸部２２２はちょうど該連結溝２１４から外れて該削斜段２１６に進入する。このとき該位置決め凸部２２３は同時に該位置制限空間２１９から外れて該歯２１８を自由な状態にし、該歯２１８が該歯道１２の形状に合わせて伸縮するようになる。
よって使用する者は該調整空間１１より該調整部２１を押すと、その両該歯２１８は該歯道１２の連続する歯において直線上でポイント固定式の調整ができるようになり、該踵当て部４０と該甲当て部１０が靴のサイズに合わせて容易に調整できるようになっている。
【００１２】
図３，１４に示すように、該微調整構造２０には連結桿３０が枢設されており、該連結桿３０は適度な長さを具有し、且つ一端には軸３１が設けられ、該軸３１は該調整部２１の嵌合孔２１１中に嵌設されており、該軸３１は該嵌合孔２１１中で自由に回転することができるようになっており、また該連結桿３０のもう一端は該踵当て部４０と連結されている。
該連結桿３０は適当な位置にストッパー３２が突出して設置されており、該連結桿３０のストッパー３２から軸３１まではH型３３となっており、該ストッパー３２から尾端３４１までは円形柱３４を呈している。該ストッパー３２と該円形柱３４の断面はそれぞれ円形を呈しており、該ばね５０は尾端３４１より嵌入されて該ストッパー３２を圧迫する。
更に図１５，１６に示すように、該踵当て部４０の両蓋体４１，４２を合わせた後、該ストッパー３２が該ばね室４３の側壁４３"を圧迫し、該ばね５０のもう一端はもう一方の側壁４３'を圧迫した後、該沈頭孔４１２，ねじ孔４２２を螺設固定する。
【００１３】
該踵当て部４０は靴の踵部の形状に合わせて設計されており、且つ図３，１５に示すように両蓋体４１，４２が組み合わされて構成されており、該蓋体４１，４２の連結面には４１１，挿孔４２１が設けられ、両該蓋体４１，４２は該４１１，挿孔４２１を相互に連結させることにより一体となる。また該蓋体４１，４２は略中段位置に沈頭孔４１２，ねじ孔４２２が設けられていることにより、ねじを締めることによって該蓋体４１を該蓋体４２と螺設固定し、両該蓋体４１，４２が緊密に固定されて一体となる。
更に該蓋体４１，４２の間にはばね室４３が形成されており、該踵当て部４０は該ばね室４３の外側に摺動孔４４を形成しており、また該ばね室４３内部には摺動孔４４'が設けられており、よって該連結桿３０と該摺動孔４４，４４'との形状が相同を呈していることにより、該連結桿３０至端部は該踵当て部４０中で摺動することができるようになっている。
図１４に示すように該連結桿３０は該ばね室４３内にてストッパー３２及びばね５０が設けられており、即ち該ばね５０の一端は該連結桿３０のストッパー３２を圧迫しており、もう一端は該ばね室４３の側壁４３'を圧迫しており、該ばね５０の弾力によって該ストッパー３２を該側壁４３"に押しつけて位置決めしている。よって該連結桿３０は圧迫を受けて該踵当て部４０内に向かって収縮し、該ばね５０は相対して生じる弾力によって該踵当て部４０及び甲当て部１０を外側へ押し、該踵当て部４０及び該甲当て部１０が適度な弾力によって支えられて靴内部が定型される機能を提供しており、また提供される弾力の強度は該微調整構造２０によって適度に調整を行うことができて、力の過不足の問題がないようになっている。
【００１４】
該踵当て部４０内部は該該連結桿３０が摺動して内部に収縮した際に位置する止め座４５が設けられており、該止め座４５は該連結桿３０が摺動するのを制限している。また該踵当て部４０は靴の踵部最良位置Aの高さに位置するべく、踵側に環状を呈して突出した縁４６が設けられており、該縁４６が該踵当て部４０より突出する距離は該最良位置Aと該クッション７との距離より大きく設計され、該縁４６が最良位置Aを圧迫する際に該踵当て部４０上半部が該クッション７に接触しないようにする。
またばね５０の伸縮範囲は、靴踵部最良位置Aからクッション７の距離よりやや大きく、こうすることにより図４，５に示すように先ず該甲当て部１０を傾斜させて靴頭部に向かって挿入し、該踵当て部４０で以って該ばね５０を収縮させることにより、該踵当て部４０及び縁４６は該クッション７を避けてスムーズに靴内に靴内に挿入される。
【００１５】
図１７に示すように、本発明の第二実施例においては、大量生産に見合った構造となるべく、該踵当て部４０と該連結桿３０とを一体射出成型の方式により製造したものとし、該連結桿３０の至端には図１２，１３に示すように調整部２１を設ける。更に該調整部２１には工の字型の凸部２１２及び溝体２１３，並びに連結溝２１４，平直段２１５、削斜段２１６，位置制限空間２１９を設けた全体の構造に合わせ、弾力部２２１，連結凸部２２２，位置決め凸部２２３を具有する固定部２２が該調整部２１と共に該甲当て部１０の調整空間１１の歯道１２中にて連結して調整構造を成しており、上述の実施例と比較すると、構造が大幅に簡略化されて、大量生産に相応しい構造となっている。
【００１６】
図１８に示すように、第三実施例では図１７と逆の方向にて連結する構造となっており、甲当て部１０と連結桿３０を一体射出成型にて製造し、該連結桿３０の至端には図１２，１３に示すような調整部２１が設置され、該調整部２１には工の字型の凸部２１２及び溝体２１３とが設けられ、並びに連結溝２１４，平直段２１５，削斜段２１６，位置制限空間２１９を設けた全体の構造に合わせ、弾力部２２１，連結凸部２２２，位置決め凸部２２３を具有する固定部２２が該調整部２１と共に該踵当て部４０に設けられた歯道１２中にて連結して調整構造としても、図１７に示す実施例と同様に大量生産に相応しい構造となっている。
【００１７】
更に図１９に示すような第四実施例では、ばね室４３が甲当て部１０に設置されており、また連結桿３０のストッパー３２及びばね５０がばね室４３中に設置されており、その弾力によって該甲当て部１０内の該連結桿３０による圧力を緩和しており、該連結桿３０のもう一端には軸３１が設けられ、該軸３１には微調整構造２０が設置されており、即ち該微調整構造２０と踵当て部４０の組合せによって図３とちょうど逆の構造を呈しており、実質上は図３中にて示す実施例と同様の構造及び機能を具有するものである。
【００１８】
【発明の効果】
本発明によると、調整空間中の微調整構造によって直線上で移動及びポイント固定式の位置決めが行えて、甲当て部，連結桿及び踵当て部の長さの総和が容易に調整できるようになり、各サイズの靴に対応して使用できる目的が達成できた。
また甲当て部を傾斜させて靴頭部に挿入し、該踵当て部を押圧することにより、該踵当て部がクッションを避けて靴内部に挿入されるようになり、使用者が力を施すのを止めると、該甲当て部と該踵当て部が靴内部より外側に向かって圧迫して靴が効果的に定型できるようになり、且つ靴の構造や外観を損なうことのない目的が同時に達成された。
【図面の簡単な説明】
【図１】公知構造における実施例の説明図１である。
【図２】公知構造における実施例の説明図２である。
【図３】本発明組立て後の断面図である。
【図４】本発明を靴中に装入する動作の説明図である。
【図５】本発明を靴中に装入する動作の説明図である。
【図６】本発明における甲当て部の上座構造説明図である。
【図７】本発明における甲当て部の底蓋構造説明図である。
【図８】本発明における甲当て部と微調整構造とを組合せた構造説明図である。
【図９】本発明における微調整構造調整部の正面図，俯瞰図，並びに側面図である。
【図１０】本発明における微調整構造固定部の正面図，俯瞰図，並びに側面図である。
【図１１】本発明における微調整構造の分解説明図である。
【図１２】本発明における微調整構造の位置が歯道に制限されている際の構造説明図である。
【図１３】本発明における微調整構造が歯道にて摺動する際の構造説明図である。
【図１４】本発明における連結桿の構造説明図である。
【図１５】本発明における踵当て部の蓋体構造説明図である。
【図１６】本発明における踵当て部のもう一つの蓋体構造説明図である。
【図１７】本発明における第二実施例説明図である。
【図１８】本発明における第三実施例説明図である。
【図１９】本発明における台本実施例説明図である。
【符号の説明】
１  甲当て部
２  連結桿
２'  軸
３  踵当て部
３'  掛け孔
４  導溝
５  導桿
６  ばね
７  クッション
A  最良位置
１０  甲当て部
１１  調整空間
１２  歯道
１２１  開口段
１３  上座
１３１  フック
１３２  嵌合柱
１３３  ねじ孔付き柱
１４  底蓋
１４１  フック掛け孔
１４２  嵌合孔
１４３  ねじ孔
１４４  穿溝
２０  微調整構造
２１  調整部
２１０  嵌合孔座
２１１  嵌合孔
２１２  凸凸部
２１３  溝体
２１４  連結溝
２１５  平直段
２１６  削斜段
２１７  弾力部
２１８  歯
２１９  位置制限空間
２２  固定部
２２１  弾力部
２２２  連結凸部
２２３  位置決め凸部
３０  連結桿
３１  軸
３２  ストッパー
３３  H型
３４  円形柱
３４１  尾端
４０  踵当て部
４１，４２  蓋体
４１１  挿柱
４１２  沈頭孔
４２１  挿孔
４２２  ねじ孔
４３  ばね室
４３'  側壁
４３"  側壁
４４，４４'  摺動孔
４５  止め座
４６  縁
５０   ばね
【図１】
0003708461.tif 000002
【図２】
0003708461.tif 000003
【図３】
0003708461.tif 000004
【図４】
0003708461.tif 000005
【図５】
0003708461.tif 000006
【図６】
0003708461.tif 000007
【図７】
0003708461.tif 000008
【図８】
0003708461.tif 000009
【図９】
0003708461.tif 000010
【図１０】
0003708461.tif 000011
【図１１】
0003708461.tif 000012
【図１２】
0003708461.tif 000013
【図１３】
0003708461.tif 000014
【図１４】
0003708461.tif 000015
【図１５】
0003708461.tif 000016
【図１６】
0003708461.tif 000017
【図１７】
0003708461.tif 000018
【図１８】
0003708461.tif 000019
【図１９】
0003708461.tif 000020